(57)【特許請求の範囲】
【請求項１】
清掃用回転体と、その清掃用回転体を回転自在に支持する回転体支持体と、その回転体支持体を使用者が保持するための保持手段を備えてなる清掃具であって、
前記回転体支持体は、前記保持手段が設けられた第１カバー体と、その第１カバー体により第１軸線のまわりに回動可能に支持され且つ前記清掃用回転体を前記第１軸線と平行な第２軸線のまわりに第１カバー体から分離した状態で回転自在に支持する第２カバー体を有し、これらの第１カバー体と第２カバー体は前記清掃用回転体を収容する回転体収容部を構成するものであり、
前記第２カバー体は、前記第１カバー体に対する回動により、前記清掃用回転体を前記回転体収容部内に収容する収容位置と、前記清掃用回転体を外部に突出する清掃位置をとり得、
使用時には、前記第２カバー体を清掃位置に位置させることにより清掃用回転体を清掃対象上で転動させて清掃に使用することができ、不使用時には前記第２カバー体を収容位置に位置させて清掃用回転体を回転体収容部内に収容することができることを特徴とする清掃具。
【請求項２】
上記第２カバー体が、上記清掃用回転体を着脱可能な状態で回転自在に支持するものである請求項１記載の清掃具。
【請求項３】
上記清掃用回転体が粘着ローラである請求項１又は２記載の清掃具。
【請求項４】
上記第２カバー体が収容位置に位置する場合に、上記保持手段を上部に位置させた状態で上記回転体支持体が水平状面上に静置されるための底部をその回転体支持体に有する請求項１、２又は３記載の清掃具。
【請求項５】
上記第２カバー体を清掃位置に固定するための固定装置を備えた請求項１乃至４の何れかに記載の清掃具。
【発明の詳細な説明】
【０００１】
【発明の属する技術分野】
本発明は、粘着ローラ等の清掃用回転体と、その清掃用回転体を回転自在に支持する回転体支持体と、その回転体支持体を使用者が保持するための柄等の保持手段を備えてなる清掃具に関する。
【０００２】
【従来の技術及び発明が解決しようとする課題】
清掃用回転体と、その清掃用回転体を回転自在に支持する回転体支持体と、その回転体支持体を使用者が保持するための柄等の保持手段を備えてなる清掃具、特に清掃用回転体が粘着ローラであるものが、カーペットの清掃等において広く使用されている。
【０００３】
このような清掃具の清掃用回転体、特に粘着ローラは、不使用時に床面、壁面、家具等に粘着して不都合を引き起こすことを防ぐために、粘着ローラを収容するカバー体が付属しているのが通常である。
【０００４】
しかしながら、清掃時にカバー体を取り外してどこかにおいておき、清掃終了後、そのカバー体を再び装着するというのは、あまり使い勝手の良いものではなく、カバー体をおいておいた場所を忘れることや、清掃を一時中断する場合にカバー体をおいておいた場所へ一々戻る必要が生じることもある。
【０００５】
そこで、開閉可能なカバー体を清掃具に組み込むことによりこのような不都合を防ぐことが考えられるが、そのカバー体が清掃用回転体による清掃に何らかの支障を来すようでは清掃具としての基本的な機能を損なうことになってしまう。
【０００６】
本発明は、従来技術に存した上記のような課題に鑑み行われたものであって、その目的とするところは、清掃時には清掃用回転体を清掃対象上で転動させることができると共に、不使用時には清掃用回転体を収容することができ、回転体支持体を使用者が保持する角度等により清掃用回転体による清掃の支障となることを防ぐことができ、而も清掃用回転体を回転自在に支持する支持構造が複雑化することを回避することができる清掃具を提供することにある。
【０００７】
【課題を解決するための手段】
上記目的を達成する本発明の清掃具は、
清掃用回転体と、その清掃用回転体を回転自在に支持する回転体支持体と、その回転体支持体を使用者が保持するための保持手段を備えてなる清掃具であって、前記回転体支持体は、前記保持手段が設けられた第１カバー体と、その第１カバー体により第１軸線のまわりに回動可能に支持され且つ前記清掃用回転体を前記第１軸線と平行な第２軸線のまわりに第１カバー体から分離した状態で回転自在に支持する第２カバー体を有し、これらの第１カバー体と第２カバー体は前記清掃用回転体を収容する回転体収容部を構成するものであり、
前記第２カバー体は、前記第１カバー体に対する回動により、前記清掃用回転体を前記回転体収容部内に収容する収容位置と、前記清掃用回転体を外部に突出する清掃位置をとり得、
使用時には、前記第２カバー体を清掃位置に位置させることにより清掃用回転体を清掃対象上で転動させて清掃に使用することができ、不使用時には前記第２カバー体を収容位置に位置させて清掃用回転体を回転体収容部内に収容することができることを特徴とする。
【０００８】
清掃具を使用する際には、第２カバー体を清掃位置に位置させることにより清掃用回転体を清掃対象上で転動させて清掃に使用することができ、不使用時には第２カバー体を収容位置に位置させて清掃用回転体を回転体収容部内に収容することができる。
【０００９】
第１カバー体に対する第２カバー体の回動軸線である第１軸線と、第２カバー体に対する清掃用回転体の回転軸線である第２軸線は、互いに平行な別の軸線であり、清掃用回転体は第１カバー体から分離した状態で第２カバー体に回転自在に支持されている。これにより、清掃用回転体を前記回転体収容部内に収容した状態、すなわち第２カバー体が収容位置に位置する状態と、その第２カバー体を前記第１カバー体に対し回動させて清掃位置に位置させ、第２カバー体に支持された清掃用回転体を外部に突出させた状態との変換が可能である。
【００１０】
第２カバー体が清掃位置に位置し、第２カバー体に支持された清掃用回転体を外部に突出させた状態においては、例えば第１カバー体に対する第２カバー体の回動軸線と第２カバー体に対する清掃用回転体の回転軸線とが一致する場合のように清掃用回転体と第１カバー体とが不可分なものに比し、清掃用回転体のうち外部に露出又は突出する部分を大きくすることができる（例えば、外部に露出又は突出する部分、すなわち清掃面に対する清掃用回転体の接触が第１カバー体及び第２カバー体等により妨げられない部分の中心角を１８０度以上とすることができる。好ましくは２００乃至２４０度以上、より好ましくは２７０度以上である。）。これにより、回転体支持体を使用者が保持する角度等により何れかのカバー体が清掃用回転体による清掃の支障となることを、可及的に防ぐことができる。
【００１１】
また、第２カバー体は、清掃用回転体を第１軸線と平行な第２軸線のまわりに第１カバー体から分離した状態で回転自在に支持するものであるから、例えば第１カバー体に対する第２カバー体の回動軸線と第２カバー体に対する清掃用回転体の回転軸線とが一致するものに比し、清掃用回転体を第２カバー体により回転自在に支持する支持構造が複雑化することを回避することができる。
【００１２】
清掃用回転体の例としては、粘着ローラ、回転ブラシ、吸液ローラ、塗布ローラ等を挙げることができる。
【００１３】
清掃用回転体としての粘着ローラというのは、外周面に粘着部を有し、清掃面（主としてカーペットの上面）上を転動させることによりカーペット上の塵埃等を外周面の粘着部に粘着させて清掃するためのローラを言う。清掃具を使用する際には、第２カバー体を清掃位置に位置させることにより粘着ローラを清掃対象上で転動させて清掃に使用することができ、不使用時には第２カバー体を収容位置に位置させて粘着表面を覆った状態で粘着ローラを回転体収容部内に収容することができる。
【００１４】
粘着ローラの例としては、１枚ずつ剥離可能な複数の、好ましくは多数の粘着シート層を外周部に有してなるローラを挙げることができる。
【００１５】
回転体支持体は、第１カバー体と第２カバー体を有し、これらの第１カバー体と第２カバー体は清掃用回転体を収容する回転体収容部を構成する。第１カバー体及び第２カバー体は、それぞれ例えば殻状体とすることができる。より具体的には、例えば、第１カバー体が上板部、両側板部、及び背板部からなる殻状体、第２カバー体が底板部、両側板部、及び前板部からなる殻状体とすることができる。なお、第２カバー体が収容位置に位置する状態における回転体収容部は、外部に通じる透孔等を有しない状態で清掃用回転体を収容するものとすることができるほか、外部に通じる透孔等を有するものとすることもできる。
【００１６】
第２カバー体が収容位置に位置する状態における清掃用回転体、特に粘着ローラは、回転体収容部の内面に接しないものとすることが好ましい。尤も、これに限るものではない。
【００１７】
第１カバー体には保持手段が設けられている。保持手段の例としては、柄、把手、柄若しくは把手を着脱可能に支持するための支持部等を挙げることができる。
【００１８】
第２カバー体は、清掃用回転体を着脱可能な状態で回転自在に支持するものであることが好ましい。第２カバー体は、清掃用回転体を第１軸線と平行な第２軸線のまわりに第１カバー体から分離した状態で回転自在に支持するものであるから、清掃用回転体を着脱可能な状態で第２カバー体により回転自在に支持する支持構造が複雑化することを回避することができる。
【００１９】
本発明の清掃具は、第２カバー体が収容位置に位置する場合に、保持手段を上部に位置させた状態で回転体支持体が水平状面上に静置されるための底部をその回転体支持体に有するものであることが好ましい。
【００２０】
この場合、第２カバー体が収容位置に位置して清掃用回転体を回転体収容部に収容し、保持手段を上部に位置させた状態で、第２カバー体が収容位置に位置した状態の回転体支持体の底部において、その回転体支持体を水平状面上に静置することができる。そのため、不使用時の取扱上便利であり、特に、清掃用回転体が粘着ローラである場合の不使用時の取扱上好適である。
【００２１】
また本発明の清掃具は、第２カバー体を清掃位置に固定するための固定装置を備えたものであることが好ましい。
【００２２】
第２カバー体の回動軸線である第１軸線と、第２カバー体に対する清掃用回転体の回転軸線である第２軸線が、互いに平行な別の軸線であり、清掃用回転体は第１カバー体から分離した状態で第２カバー体に回転自在に支持されているので、清掃用回転体を清掃対象上で転動させて行う清掃中に、第２カバー体が第１カバー体に対し回動しようとする。
【００２３】
ところが、第２カバー体を清掃位置に位置させた状態において、その第２カバー体を固定装置によって清掃位置に固定することができるので、清掃用回転体を清掃対象上で転動させて行う清掃中に第２カバー体が第１カバー体に対し回動することにより円滑な清掃作業が妨げられることを防ぐことができる。特に、清掃用回転体が粘着ローラである場合、清掃用回転体と清掃対象面との間に作用する粘着力により第２カバー体が第１カバー体に対し回動しようとするのを防いで円滑な清掃作業を確実に実現することができる。
【００２４】
前記固定装置としては、例えば、把手、及び第２カバー体が清掃位置に位置した状態でその把手を掛止する掛止部のうち、一方を第２カバー体に、他方を第１カバー体に有するものや、フック、及び第２カバー体が清掃位置に位置した状態でそのフックを掛止する掛止部のうち、一方を第２カバー体に、他方を第１カバー体に有するもの等を挙げることができる。
【００２５】
【発明の実施の形態】
本発明の実施の形態を、図面を参照しつつ説明する。
【００２６】
図は何れも本発明の清掃具の実施の形態の一例としての、清掃用回転体として粘着ローラを備えた清掃具に関するものであって、図１は使用・不使用転換状態の斜視図、図２は使用状態の斜視図、図３は垂直使用状態の側面図、図４は水平使用状態の側面図、図５は不使用状態の斜視図、図６は不使用状態の側面図である。
【００２７】
清掃具は、主に、第１カバー体１０と第２カバー体１２により構成されるローラ支持体１４（回転体支持体）、保持手段としての支持筒部１６、及び清掃用回転体として粘着ローラ１８からなる。粘着ローラ１８は、１枚ずつ剥離可能な多数の粘着シート層を外周部に有するものであり、使用により粘着力がなくなった場合、その都度粘着シート層を剥離させて新しい粘着シート層を露出させる。図３及び図４に示す最外周の円周が粘着ローラ１８の使用開始時の外周を示し、その内側の円周が、最内層粘着シート面１８ａを示す。
【００２８】
第１カバー体１０は、上板部１０ａ、両第１カバー側板部１０ｂ、及び背板部１０ｃからなる合成樹脂製の殻状体であり、第２カバー体１２は、底板部１２ａ、両第２カバー側板部１２ｂ、及び前板部１２ｃからなる合成樹脂製の殻状体である。
【００２９】
第１カバー体１０の上板部１０ａには、上端開口の略円筒形状の支持筒部１６が上向きに突設されている。この支持筒部１６は、柄若しくは把手２４等の先端部を挿入することによりそれを着脱可能に支持することができる。支持筒部１６の側壁には透孔１６ａが設けられており、柄等の先端部に出没自在に設けた脱落防止突部を透孔１６ａに嵌合させることにより、支持筒部１６が柄から不用意に脱落することを防ぐことができる。
【００３０】
第２カバー体１２は、左右両第２カバー側板部１２ｂの下部後方において、左右両第１カバー側板部１０ｂに対し左右回動ピン２５により左右方向の軸線のまわりに回動自在に支持されている。また中空の粘着ローラ１８に挿通した芯軸２０の両端部が第２カバー体１２の両第２カバー側板部１２ｂの上部後方に着脱自在に支持されることにより、粘着ローラ１８が第２カバー体１２に回転自在に支持されている。粘着ローラ１８の着脱は、芯軸２０を着脱することにより行い得る。第２カバー体１２は、第１カバー体１０と共に、粘着ローラ１８を収容する回転体収容部２２を構成する。粘着ローラ１８は、回転体収容部２２の内面に接しない状態で第２カバー体１２に回転自在に支持されており、約２７０度の中心角にわたる部分が第２カバーから突出している。
【００３１】
芯軸２０の軸線は、第１カバー体１０に対する第２カバー体１２の回動軸線と平行であり、芯軸２０及び粘着ローラ１８は第１カバー体１０から分離している。第２カバー体１２は、粘着ローラ１８を第１カバー体１０から分離した状態で回転自在に支持するものであるから、粘着ローラ１８を第２カバー体１２により回転自在に支持する支持構造を簡明なものとすることができる。
【００３２】
第２カバー体１２の前板部１２ｃの上部は、後方に向かって上向きに傾斜した傾斜部１２ｃ１に構成されており、その傾斜部１２ｃ１の外面下部中央に、略Ｕ字形状の把手２４が、その両端部において回動可能に支持されている。また第１カバー体１０の背板部１０ｃの外面下部中央には、その把手２４を掛止し得る横長の掛止突部２６が設けられている。
【００３３】
第２カバー体１２は、第１カバー体１０に対する回動により、図５及び図６に示すように粘着ローラ１８を回転体収容部２２内に収容する収容位置と、図２に示すように粘着ローラ１８を外部に突出する清掃位置をとり得る。清掃具を使用する際には、第２カバー体１２を清掃位置に位置させることにより粘着ローラ１８を清掃対象上で転動させて清掃に使用することができ、不使用時には第２カバー体１２を収容位置に位置させて粘着ローラ１８を回転体収容部２２内に収容することができる。
【００３４】
第２カバー体１２が収容位置に位置する場合、回転体収容部２２を閉塞した状態で粘着ローラ１８がその回転体収容部２２内に収容される。この場合、図５及び図６に示されるように、支持筒部１６が上部に直立した状態でローラ支持体１４が第２カバー体１２の底板部１２ａにおいて水平状面上に静置される。例えば柄等が支持筒部１６に支持された状態でも、その状態で静置され得る。そのため、不使用時の取扱上便利である。また、この場合における粘着ローラ１８の芯軸２０は、回動ピン２５から見て後方（本例では中心角θにおいて約３０度程度後方）に位置するように第２カバー体１２に支持されている。この場合において、回動ピン２５の位置、すなわち第２カバー体１２が第１カバー体１０に対し回動する回動軸線の位置よりも、芯軸２０及び粘着ローラ１８の重心位置の方が後方に位置するので、第２カバー体１２は収容位置において安定する。また、第２カバー体１２を収容位置に位置させる場合に、第１カバー体１０に対しある程度以上回動させれば、重力により第２カバー体１２を収容位置に至らせることにもなり得る。
【００３５】
第２カバー体１２を、例えば把手２４により、第１カバー体１０に対し回動させて回転体収容部２２を最大限に開いて清掃位置に位置させることにより、粘着ローラ１８の約２７０度の中心角にわたる部分が外部に突出した状態とすることができる。これにより、支持筒部１６に支持された柄等によりローラ支持体１４を使用者が保持する角度等により第１カバー体１０又は第２カバー体１２が粘着ローラ１８による清掃の支障となることを、可及的に防ぐことができる。例えば、図３及び図４に示すように、粘着ローラ１８の使用開始時（最大外径）においても、最内層粘着シート面１８ａが外周面となる最終使用時（最小外径）においても、垂直使用状態において第２カバー体１２の前板部１２ｃの端部１２ｃ２が清掃対象面２８・２８ａに触れず、水平使用状態において第１カバー体１０の上板部１０ａの端部１０ａ１が清掃対象面２８・２８ａに触れないよう構成されている。また、水平使用状態において支持筒部１６を把持する手３０も可及的に清掃対象面２８・２８ａに触れないよう構成されている。
【００３６】
また、図２に示されるように把手２４を第１カバー体１０の背板部１０ｃの掛止突部２６に掛止させれば、第２カバー体１２が清掃位置に位置した状態で第２カバー体１２を第１カバー体１０に対し固定することができる。これにより、粘着ローラ１８と清掃対象面２８との間に作用する粘着力により第２カバー体１２が第１カバー体１０に対し回動しようとするのを防いで円滑な清掃作業を確実に実現することができる。
【００３７】
なお、以上の実施の形態についての記述における構成部品の寸法、個数、材質、形状、その相対配置などは、特にそれらに限定される旨の記載がない限りは、この発明の範囲をそれらのみに限定する趣旨のものではなく、単なる説明例に過ぎない。
【００３８】
また、課題を解決するための手段の項において本発明について述べた例示及び数値範囲を含む説明は、原則として以上の実施の形態についての記述に適用される。
【００３９】
【発明の効果】
本発明の清掃具によれば、清掃時には第２カバー体を清掃位置に位置させることにより清掃用回転体を清掃対象上で転動させることができ、不使用時には第２カバー体を収容位置に位置させて清掃用回転体を回転体収容部内に収容することができる。
【００４０】
また、第２カバー体が清掃位置に位置し、第２カバー体に支持された清掃用回転体を外部に突出させた状態において、清掃用回転体のうち外部に露出する部分を大きくすることができるので、回転体支持体を使用者が保持する角度等により何れかのカバー体が清掃用回転体による清掃の支障となることを、可及的に防ぐことができる。
【００４１】
更に、第２カバー体は、清掃用回転体を第１軸線と平行な第２軸線のまわりに第１カバー体から分離した状態で回転自在に支持するものであるから、清掃用回転体を第２カバー体により回転自在に支持する支持構造が複雑化することを回避することができる。
【図面の簡単な説明】
【図１】使用・不使用転換状態の斜視図である。
【図２】使用状態の斜視図である。
【図３】垂直使用状態の側面図である。
【図４】水平使用状態の側面図である。
【図５】不使用状態の斜視図である。
【図６】不使用状態の側面図である。
【符号の説明】
１０      第１カバー体
１０ａ    上板部
１０ａ１  端部
１０ｂ    カバー側板部
１０ｃ    背板部
１２      第２カバー体
１２ａ    底板部
１２ｂ    カバー側板部
１２ｃ    前板部
１２ｃ１  傾斜部
１２ｃ２  端部
１４      ローラ支持体
１６      支持筒部
１６ａ    透孔
１８      粘着ローラ
１８ａ    最内層粘着シート面
２０      芯軸
２２      回転体収容部
２４      把手
２５      回動ピン
２６      掛止突部
２８      清掃対象面
２８ａ    清掃対象面
３０      手
θ        中心角
【図１】
0003554726.tif 000002
【図２】
0003554726.tif 000003
【図３】
0003554726.tif 000004
【図４】
0003554726.tif 000005
【図５】
0003554726.tif 000006
【図６】
0003554726.tif 000007